(57)【要約】【課題】オプション部品及びカバー部材の固定作業時におけるユーザーの煩わしさ感を低減する。【解決手段】着脱式カバー１５を所定方向から本体カバー１１に係合させた状態で、固定用部材３０の軸部３０ａをオプション部品２５の貫通孔２５ｆに貫通させて被固定部材１８ａの螺子孔１８ｂに螺合させて固定用部材３０の大径部３０ｂをオプション部品２５に当接させることで該オプション部品２５を固定するとともに、着脱式カバー１５の貫通孔１５ｆ内に当該大径部３０ｂの少なくとも一部を位置させることで該着脱式カバー１５の上記所定方向の移動を規制して着脱式カバー１５を固定する。大径部３０ｂは、オプション部品２５の非装着状態においても、少なくとも一部が着脱式カバー１５の貫通孔１５ｆ内に位置するような軸方向長さを有している。【選択図】図９
2018083402.tif 000002
【特許請求の範囲】
【請求項１】
所定機能を追加するためのオプション部品を電気的に接続可能な接続部を内部に有する画像形成装置本体と、該画像形成装置本体を覆ってその外壁を構成する本体カバーと、該本体カバーに形成され、上記オプション部品の上記接続部への接続に際して該オプション部品が挿入される挿入口と、上記画像形成装置本体内に設けられて上記オプション部品を固定するための螺子孔を有するアース用の被固定部材と、該挿入口を着脱可能に閉塞する着脱式カバーとを備えた画像形成装置における上記オプション部品及び上記着脱式カバーの固定構造であって、
上記螺子孔に螺合する軸部と該軸部の基端部に連接された該軸部よりも大径の大径部とを有する固定用部材をさらに備え、
上記オプション部品及び上記着脱式カバーにはそれぞれ上記固定用部材が貫通する貫通孔が形成され、
上記着脱式カバーは、上記本体カバーに対して所定方向から係合することにより該所定方向に直交する方向の移動が規制され、
上記着脱式カバーを上記所定方向から上記本体カバーに係合させた状態で、上記固定用部材の軸部を上記オプション部品の貫通孔に貫通させて上記被固定部材の螺子孔に螺合させ且つ固定用部材の大径部をオプション部品に当接させることで該オプション部品を固定するとともに、着脱式カバーの貫通孔内に当該大径部の少なくとも一部を位置させることで該着脱式カバーの上記所定方向の移動を規制して着脱式カバーを固定する構造であり、
上記大径部は、上記オプション部品の非装着状態において、上記固定用部材がオプション部品の固定箇所の厚さ分だけ画像形成装置本体の内方側の位置で上記被固定部材に締結固定された場合にも、上記オプション部品の装着状態と同様に、該大径部の少なくとも一部が上記着脱式カバーの貫通孔内に位置するような軸方向長さを有している、固定構造。
【請求項２】
請求項１記載の固定構造において、
上記大径部は、上記着脱式カバーの貫通孔を貫通しており、
上記固定用部材は、上記大径部における上記軸部側とは反対側の端面に一端に接続され且つ該固定用大径部よりも大径の頭部をさらに有し、
上記頭部の外径は上記貫通孔の孔径よりも大きい、固定構造。
【請求項３】
請求項２記載の固定構造において、
上記着脱式カバーは、画像形成装置本体の内方側に凹む有底の凹部を有し、
上記着脱式カバーの貫通孔は上記凹部の底壁部に形成され、
上記頭部は、上記オプション部品の装着状態及び非装着状態の双方において上記凹部内に収まるように形成されている、固定構造。
【請求項４】
請求項３記載の固定構造において、
上記着脱式カバーは、上記所定方向に直交する方向から見て該着脱式カバーにおける互いに対向する一対の端縁部から該所定方向に突出する係合爪を有し、
上記本体カバーには、上記所定方向に貫通して着脱式カバーの係合爪と係合する係合孔が形成されている、固定構造。
【発明の詳細な説明】
【技術分野】
【０００１】
本発明は、オプション部品及び着脱式カバーの固定構造に関する。
【背景技術】
【０００２】
従来より、複写機等の画像形成装置として、無線ＬＡＮ機能やファクシミリ機能を追加するためのオプション部品を電気的に接続可能な接続部を有するものが知られている（例えば、特許文献１参照）。この画像形成装置は、接続部を内部に有する画像形成装置本体と、画像形成装置本体を覆ってその外壁を構成する本体カバーとを備えている。本体カバーには、オプション部品を接続部に接続する際に該オプション部品が挿入される挿入口が形成されている。挿入口は着脱式カバーにより着脱可能に閉塞されている。ユーザーは、着脱式カバーを取り外すことで挿入口から本体カバー内に手を入れて接続部にオプション部品を接続できるようになっている。
【０００３】
オプション部品は通常、アース用の板金部材に固定される。オプション部品の板金部材への固定にはボルト等の締結部材が使用される。着脱式カバーは、係合爪を本体カバーに係合させたり、ボルト等の締結部材を使用したりして本体カバーに固定される。
【先行技術文献】
【特許文献】
【０００４】
【特許文献１】特開２０１２−１１８２４８号公報
【発明の概要】
【発明が解決しようとする課題】
【０００５】
しかしながら、上述した従来の固定構造では、ユーザーがオプション部品を接続部に接続する際に、オプション部品をアース用の板金部材（被固定部材）に固定する作業と、着脱式カバーを本体カバーに固定する作業とを別々に行う必要がある。このため、オプション部品を接続部に接続する際にユーザーが煩わしく感じるという問題がある。
【０００６】
本発明は、かかる点に鑑みてなされたものであり、その目的とするところは、オプション部品及びカバー部材の固定作業時におけるユーザーの煩わしさ感を低減することにある。
【課題を解決するための手段】
【０００７】
本発明に係る固定構造は、所定機能を追加するためのオプション部品を電気的に接続可能な接続部を内部に有する画像形成装置本体と、該画像形成装置本体を覆ってその外壁を構成する本体カバーと、該本体カバーに形成され、上記オプション部品の上記接続部への接続に際して該オプション部品が挿入される挿入口と、上記画像形成装置本体内に設けられて上記オプション部品を固定するための螺子孔を有するアース用の被固定部材と、該挿入口を着脱可能に閉塞する着脱式カバーとを備えた画像形成装置における上記オプション部品及び上記着脱式カバーの固定構造を対象としている。
【０００８】
そして、上記螺子孔に螺合する軸部と該軸部の基端部に連接された該軸部よりも大径の大径部とを有する固定用部材をさらに備え、上記オプション部品及び上記着脱式カバーにはそれぞれ上記固定用部材が貫通する貫通孔が形成され、上記着脱式カバーは、上記本体カバーに対して所定方向から係合することにより該所定方向に直交する方向の移動が規制され、上記着脱式カバーを上記所定方向から上記本体カバーに係合させた状態で、上記固定用部材の軸部を上記オプション部品の貫通孔に貫通させて上記被固定部材の螺子孔に螺合させ且つ該固定用部材の大径部をオプション部品に当接させることで該オプション部品を固定するとともに、着脱式カバーの貫通孔内に当該大径部の少なくとも一部を位置させることで該着脱式カバーの上記所定方向の移動を規制して着脱式カバーを固定する構造であり、
上記大径部は、上記オプション部品の非装着状態において、上記固定用部材がオプション部品の固定箇所の厚さ分だけ画像形成装置本体の内方側の位置で上記被固定部材に締結固定された場合にも、上記オプション部品の装着状態と同様に、該大径部の少なくとも一部が上記着脱式カバーの貫通孔内に位置するような軸方向長さを有している。
【発明の効果】
【０００９】
本発明によれば、オプション部品及びカバー部材の固定作業時におけるユーザーの煩わしさ感を低減することができる。
【図面の簡単な説明】
【００１０】
【図１】図１は、実施形態におけるWi-Fi基板ユニット（オプション部品）及び着脱式カバーの固定構造を備えた画像形成装置の概略構成を示すブロック図である。
【図２】図２は、実施形態における画像形成装置を示す後側且つ左側から見た外観斜視図である。
【図３】図３は、画像形成装置の着脱式カバーを取外した状態で基板収容空間及びその周辺を拡大して示す拡大斜視図である。
【図４】図４は、基板収容空間内の接続コネクタにWi-Fi基板ユニットを接続した状態を示す図３相当図である。
【図５】図５は、Wi-Fi基板ユニットを示す正面側寄りから見た斜視図である。
【図６】図６は、Wi-Fi基板ユニットを示す背面側寄りから見た斜視図である。
【図７】図７は、着脱式カバーを内側から見た斜視図である。
【図８】図８は、本体カバーに対する着脱式カバーの係合構造を示す内側から見た斜視図である。
【図９】図９は、Wi-Fi基板ユニットがアース用の被固定部材に固定された状態（装着状態）を示す図２のIX−IX線断面である。
【図１０】図１０は、Wi-Fi基板ユニットが被固定部材から取外された状態（非装着状態）を示す図９相当図である。
【発明を実施するための形態】
【００１１】
以下、本発明の実施形態を図面に基づいて詳細に説明する。尚、本発明は、以下の実施形態に限定されるものではない。
【００１２】
図１に示すように、本実施形態の画像形成装置１は、例えば複合機であり、給紙部２、画像読取部３（スキャナー部）、操作部４、画像形成部５、定着部６および排紙部７を備えている。この画像形成装置１では、後述するWi-Fi基板ユニット２５（オプション部品に相当）をオプションとして装着することでWi-Fiネットワークを利用した印刷処理が可能になる。
【００１３】
画像形成装置１では、画像形成装置本体１０の上部に画像読取部３がおよび設けられ、画像読取部３の正面側に操作部４が設けられている。画像形成装置本体１０の中央部および下部には画像形成部５、定着部６および給紙部２が設けられている。排紙部７は、画像読取部３の下方に設けられている。
【００１４】
給紙部２は、用紙を画像形成部５へ供給するカセット給紙部や手差しトレイである。画像読取部３は、原稿を画像として読み取る。操作部４では、ユーザーによって画像形成装置１の各種操作が行われる。画像形成部５は、図示しないが、感光ドラムや、その感光ドラムの周囲に配置された帯電器、現像器、転写ローラなどを備えている。画像形成部５では、画像読取部３によって読み取られた画像データや外部端末から送信された画像データに基づいて、給紙部２から供給された用紙にトナー像を転写する。定着部６は、互いに圧接されて回転する定着ローラおよび加圧ローラ（いずれも図示省略）を備え、画像形成部５で用紙に転写された画像（トナー像）をその用紙に定着させる。排紙部７は、定着部６から画像形成された用紙が供給される。
【００１５】
図２に示すように、画像形成装置本体１０は、その外壁面を形成する本体カバー１１により覆われている。本体カバー１１は、前側カバー、後側カバー１２、左側カバー１３及び右側カバーを有している。尚、前側カバー及び右側カバーは図示を省略する。
【００１６】
左側カバー１３は、画像形成装置本体１０の左側の外壁面を形成している。左側カバー１３は、上下方向に長い矩形板状をなす平板部１３ａと、平板部１３ａの後側端縁に接続されて後側に向かって右側に円弧状に湾曲する湾曲部１３ｂとを有している。後側カバー１２は左右方向に長い平板状をなしている。後側カバー１２の左側端部と左側カバー１３の湾曲部１３ｂの右側端部とが隣接している。
【００１７】
後側カバー１２と左側カバー１３の湾曲部１３ｂとは、互いの上端部において隣接する部分が切り欠かれている。そして、この切り欠きによって本体カバー１１の左側且つ後側の角部に挿入口１４（図３参照）が形成されている。挿入口１４は、Wi-Fi基板ユニット２５を挿入可能な大きさに形成されている。挿入口１４は着脱式カバー１５により閉塞されている。
【００１８】
図３及び図４に示すように、挿入口１４は、画像形成装置本体１０内の基板収容空間Ｓに連通している。基板収容空間Ｓ内には、画像形成装置１全体の動作を制御する主制御基板（図示省略）を有するコントロールユニット１７が収容されている。コントロールユニット１７は、Wi-Fi基板ユニット２５をオプションとして接続可能な接続コネクタ１６を有している。接続コネクタ１６は上記主制御基板に電気的に接続されている。コントロールユニット１７は保持ブラケット１８により下方から支持されている。
【００１９】
保持ブラケット１８は、金属等の導電性部材からなり、同じく導電性部材からなる画像形成装置本体１０のフレーム部材（図示省略）に固定されている。保持ブラケット１８は、コントロールユニット１７が載置される支持板部（図示省略）と、該支持板部の後側の端縁から起立する左右方向に長い矩形板状の鉛直板部１８ａとを有している。支持板部は、Wi-Fi基板ユニット２５を接続コネクタ１６に接続する際にWi-Fi基板ユニット２５を仮保持しておく保持板としても利用される。
【００２０】
鉛直板部１８ａは、Wi-Fi基板ユニット２５が固定されるアース用の被固定部材として機能する。鉛直板部１８ａの左右方向の中央部には厚さ方向に貫通する螺子孔１８ｂ（図９参照）が形成されている。螺子孔１８ｂは、Wi-Fi基板ユニット２５を固定用部材３０により鉛直板部１８ａに取付ける際に利用される。
【００２１】
図５及び図６に示すように、Wi-Fi基板ユニット２５は、Wi-Fi基板２５ａ、保持ケース部２５ｂ、及び取付用板部２５ｃを有している。
【００２２】
Wi-Fi基板２５ａは、Wi-Fiによる通信を行うための通信用基板であって、保持ケース部２５ｂにより主面側から覆われて保持されている。Wi-Fi基板２５ａの裏面の下端部には、上記コントロールユニット１７内の接続コネクタ１６（図３参照）に嵌合接続される接続端子２５ｄが設けられている。
【００２３】
保持ケース部２５ｂは水平断面が断面コ字状をなす樹脂製のケース体である。取付用板部２５ｃは保持ケース部２５ｂに一体形成されている。取付用板部２５ｃは、保持ケース部２５ｂの下端部から下側に延びる板状部である。取付用板部２５ｃの内側面にはWi-Fi基板２５ａに接続された板状のアース端子２５ｅが設けられている。アース端子２５ｅには厚さ方向に貫通する貫通孔２５ｆが形成されている。貫通孔２５ｆは、固定用部材３０によりWi-Fi基板ユニット２５を上記鉛直板部１８ａに固定する際に使用される。
【００２４】
次に図７及び図８を参照して、挿入口１４を閉塞する着脱式カバー１５の構成を説明する。着脱式カバー１５は、平板部１５ａと湾曲部１５ｂとを有している。平板部１５ａは、後側カバー１２に対して面一な矩形板状に形成されている。湾曲部１５ｂは、平板部１５ａの左側端から前側に向かって前側にアーチ状に湾曲している。
【００２５】
平板部１５ａの右側端部には、画像形成装置本体１０内側に突出する垂直壁１５ｖが形成されている。この垂直壁１５ｖの右側面には上下方向に間隔を空けて並ぶ一対の右側係合爪１５ｃが突設されている。一対の右側係合爪１５ｃは、上下方向に長い矩形板状をなしていて垂直壁１５ｖから右側に突出している。後側カバー１２の左側端のうち挿入口１４の端縁を形成する部分には、係合孔１２ａを有する一対の突出片部１２ｂが設けられている。係合孔１２ａは、突出片部１２ｂを左右方向に貫通している。係合孔１２ａには、着脱式カバー１５の右側係合爪１５ｃが挿入されて係合する。
【００２６】
湾曲部１５ｂの前側端には、上下方向に間隔を空けて並ぶ一対の左側係合爪１５ｄが設けられている。一対の左側係合爪１５ｄは、上下方向に長い矩形板状をなしていて湾曲部１５ｂの左側端（前側端でもある）から右側に突出している。すなわち、該一対の左側係合爪１５ｄと上記一対の右側係合爪１５ｃとは、前後方向から見て（所定方向に直交する方向から見て）着脱式カバー１５における互いに対向する一対の端縁部から右側に突出するように形成されている。
【００２７】
左側カバー１３の平板部１３ａのうち挿入口１４の端縁を形成する部分にはフランジ板１３ｆが形成されており、フランジ板１３ｆには上下方向に並ぶ一対の係合孔１３ｃが形成されている。係合孔１３ｃは、フランジ板１３ｆを左右方向に貫通している。係合孔１３ｃには、着脱式カバー１５の左側係合爪１５ｄが挿入されて係合する。
【００２８】
着脱式カバー１５を本体カバー１１（後側カバー１２及び左側カバー１３）に装着する際には、着脱式カバー１５の右側係合爪１５ｃ及び左側係合爪１５ｄを右側に向けた状態（図７及び図８に示す状態）で、着脱式カバー１５を挿入口１４に対して左側から組み付ける。この組み付けに際して、右側係合爪１５ｃを後側カバー１２の係合孔１２ａに挿入し、左側係合爪１５ｄを左側カバー１３の係合孔１３ｃに挿入する。そうして、着脱式カバー１５は、本体カバー１１対して左右方向（所定方向）の左側から係合して装着されるとともに前後方向（所定方向に直交する方向）の移動が規制される。着脱式カバー１５の左右方向の移動は、固定用部材３０によって規制される。着脱式カバー１５には、固定用部材３０が貫通する貫通孔１５ｆが形成されている。貫通孔１５ｆは、平板部１５ａの下端部において画像形成装置本体１０内側に凹む凹部１５ｅ（図９参照）の底壁部に形成されている。
【００２９】
図９に示すように、固定用部材３０は着脱式カバー１５の左右方向の位置を規制するとともに、Wi-Fi基板ユニット２５を保持ブラケット１８の鉛直板部１８ａに固定する。固定用部材３０は、周面に雄螺子が形成された軸部３０ａと、該軸部３０ａの基端部に連接された大径部３０ｂと、該大径部３０ｂにおける軸部３０ａ側とは反対側に連接された頭部３０ｃとを有している。大径部３０ｂの外径は軸部３０ａの外径よりも大きく、頭部３０ｃの外径は大径部３０ｂの外径よりも大きい。
【００３０】
固定用部材３０の軸部３０ａは、Wi-Fi基板ユニット２５におけるアース端子２５ｅの貫通孔２５ｆを貫通して保持ブラケット１８の螺子孔１８ｂに螺合する。
【００３１】
大径部３０ｂは、アース端子２５ｅに当接してアース端子２５ｅを鉛直板部１８ａとの間で挟み込んで固定する。この状態で、大径部３０ｂは、着脱式カバー１５の貫通孔１５ｆを貫通している。そうして大径部３０ｂの一部が貫通孔１５ｆ内に位置することにより着脱式カバー１５の左右方向の移動が規制される。着脱式カバー１５は、右側係合爪１５ｃ及び左側係合爪１５ｄがそれぞれ係合孔１２ａ,１３ｃに係合することにより前後方向の移動が形成されているので、固定用部材３０により左右方向の移動が規制されることで本体カバー１１に対して移動不能に固定されるこことなる。
【００３２】
頭部３０ｃは、Wi-Fi基板ユニット２５の装着状態及非装着状態の双方において着脱式カバー１５の凹部１５ｅ内に位置している。頭部３０ｃの外径は、着脱式カバー１５の貫通孔１５ｆの孔径よりも大きい。頭部３０ｃの外周面と凹部１５ｅの内壁面との間には、指を挿入可能な程度の隙間δが設けられている。頭部３０ｃにおける軸部３０ａ側とは反対側の面には六角孔（図示省略）が形成されており、この六角孔に六角レンチ等の工具を挿入して固定用部材３０を締込み可能になっている。
【００３３】
図１０は、Wi-Fi基板ユニット２５を画像形成装置本体１０に装着していない状態を示している。この状態において、大径部３０ｂは、Wi-Fi基板ユニットの固定箇所であるアース端子２５ｅの厚さ分だけ画像形成装置本体１０の内方側（本実施形態では前側）の位置で鉛直板部１８ａに締結固定される。大径部３０ｂは、この状態においてもWi-Fi基板ユニット２５の装着状態と同様に、着脱式カバー１５の貫通孔１５ｆの貫通状態を維持するような軸方向長さを有している。
【００３４】
以上説明したように、本実施形態におけるWi-Fi基板ユニット２５及び着脱式カバー１５の固定構造によれば、Wi-Fi基板ユニット２５を鉛直板部１８ａに固定するための部材と、着脱式カバー１５を本体カバー１１に固定するための部材とが固定用部材３０として共通化されているので、部品点数を削減して低コスト化を図ることができるとともに、Wi-Fi基板ユニット２５及び着脱式カバー１５を固定する際のユーザーの煩わしさ感を低減することができる。
【００３５】
そして、固定用部材３０の大径部３０ｂは、Wi-Fi基板ユニット２５の非装着状態においてもその一部が着脱式カバー１５の貫通孔１５ｆ内に位置するような軸方向長さを有している。したがって、Wi-Fi基板ユニット２５の非装着状態において固定用部材３０と鉛直板部１８ａとの間にスペーサーを挿入したりすることなく着脱式カバー１５の左右方向の位置を規制することができる。したがって、ユーザーはスペーサーを無くさないように管理する必要がないので、部品管理の観点からも煩わしさ感が低減される。
【００３６】
また、固定用部材３０の大径部３０ｂにおける軸部３０ａ側とは反対側には頭部３０ｃが連接され、頭部３０ｃの外径は着脱式カバー１５の貫通孔１５ｆの孔径よりも大きいものとされている。
【００３７】
これにより、着脱式カバー１５の左側係合爪１５ｄ及び右側係合爪１５ｃが万一破損したとしても、固定用部材３０の頭部３０ｃによって着脱式カバー１５が後側に脱落するのを防止することができる。
【００３８】
また、固定用部材３０の頭部３０ｃは、Wi-Fi基板ユニット２５の装着状態及非装着状態の双方において着脱式カバー１５の凹部１５ｅ内に位置している。したがって、頭部３０ｃが画像形成装置本体１０の後側面から張り出して外観意匠を損ねるのを防止することができる。
【００３９】
《他の実施形態》
上記実施形態では、大径部３０ｂの一部が着脱式カバー１５の貫通孔１５ｆ内に位置する例について説明したが、これに限ったものではなく、大径部３０ｂ全体が貫通孔１５ｆ内に位置していてもよい。
上記実施形態では、画像形成装置１が複写機である例について説明したが、これに限ったものではなく、画像形成装置１は、プリンター、複合機（ＭＦＰ）又はファクシミリ等であってもよい。
【産業上の利用可能性】
【００４０】
以上説明したように、本発明は、オプション部品及び着脱式カバーの固定構造に対して有用であり、特に、プリンター、複合機（ＭＦＰ）又はファクシミリ等の画像形成装置に適用する場合に有用である。
【符号の説明】
【００４１】
１     画像形成装置
１０   画像形成装置本体
１１   本体カバー
１２   後側カバー
１３   左側カバー
１４   挿入口
１５   着脱式カバー
１５ｃ 右側係合爪
１５ｄ 左側係合爪
１６   接続コネクタ（接続部）
１８ａ 鉛直板部（被固定部材）
１８ｂ 螺子孔
２５   Wi-Fi基板ユニット（オプション部品）
２５ａ Fi基板
２５ｅ アース端子（固定箇所）
２５ｆ 貫通孔
３０   固定用部材
３０ａ 軸部
３０ｂ 大径部
３０ｃ 頭部
【図１】
2018083402.tif 000003
【図２】
2018083402.tif 000004
【図３】
2018083402.tif 000005
【図４】
2018083402.tif 000006
【図５】
2018083402.tif 000007
【図６】
2018083402.tif 000008
【図７】
2018083402.tif 000009
【図８】
2018083402.tif 000010
【図９】
2018083402.tif 000011
【図１０】
2018083402.tif 000012